(57)【要約】【課題】開閉自在に設けた開閉枠を閉成状態で確実に保持し得る遊技機の開放阻止装置を提供する。【解決手段】外枠に配設した回転自在なリール３６と、リール３６に繰出し供給自在に巻取られて中枠に端部を固定したワイヤ２１と、リール３６をワイヤ巻取方向に回転させるゼンマイバネと、リール３６に設けた爪車５０と、爪車５０に係脱自在に係合可能で、その係合によりリール３６のワイヤ繰出し方向への回転を規制する係合部材５５と、係合部材５５を爪車５０との係合位置および係合解除位置の間で変位させるモータ４８とを備える。更に、係合部材５５を爪車５０との係合位置からリール３６をワイヤ巻取方向へ回動させた増巻き位置へ変位させる回動付加手段６３と、係合部材５５を係合解除位置および増巻き位置の間を複数回変位させて、係合部材５５を増巻き位置で保持するよう回動付加手段６３の動作制御する制御部とを設けた。【選択図】図１
2006006850.tif 000002
【特許請求の範囲】
【請求項１】
遊技機の保持枠または該保持枠を保持する遊技設備の何れかを固定部として、該固定部または前記保持枠に開閉自在に設けた開閉枠の何れか一方に配設される回転自在なリールと、該リールに繰出し供給自在に巻取られ、その端部を前記固定部または開閉枠の他方に固定した長尺部材と、前記リールを長尺部材巻取方向に回転させる回転付勢手段と、前記リールに設けた第１係合手段と、前記第１係合手段に係脱自在に係合可能で、その係合により前記リールの長尺部材繰出し方向への回転を規制する第２係合手段と、前記第２係合手段を前記第１係合手段との係合位置および係合解除位置の間で変位させる駆動手段とからなり、前記開閉枠の閉成時には、前記駆動手段により第２係合手段を係合位置まで変位させて前記長尺部材の繰出しを規制し、該開閉枠の開放を阻止するようにした遊技機の開放阻止装置において、
前記駆動手段により駆動され、前記第２係合手段を第１係合手段との係合位置から前記リールを巻取方向へ所要量だけ回動させた増巻き位置へ変位させる回動付加手段と、
前記開閉枠の閉成時に、前記第２係合手段を係合解除位置および増巻き位置の間を複数回変位させた後に、該第２係合手段を増巻き位置で保持するよう前記回動付加手段の動作制御を行なう制御手段とから構成した
ことを特徴とする遊技機の開放阻止装置。
【発明の詳細な説明】
【技術分野】
【０００１】
本発明は、遊技機に開閉自在に設けた開閉枠の不正な開放を防止する遊技機の開放阻止装置に関するものである。
【背景技術】
【０００２】
代表的な遊技機であるパチンコ機は、外郭をなす外枠(保持枠)に対して各種制御装置等を配設した中枠(開閉枠)が開閉自在に枢支されて、施錠装置を介して常には中枠が外枠に閉成状態で施錠保持されている。そして、メンテナンス時等に、作業者がパチンコ機の前側から鍵操作して前記施錠装置を解錠することで、外枠に対して中枠を開放し得るようになっている。ところで、前記施錠装置だけで前記中枠の開放を規制している場合には、不正に複製された鍵やその他不正手段により施錠装置が解錠される可能性があり、この場合には中枠に配設されている制御装置等を不正改造したものに交換される等の不正行為が行なわれる虞がある。このため、前記中枠の不正な開放を阻止し得る開放阻止装置を前記施錠装置とは別に設けることで、前述の不正行為を防止した提案が多数されている(例えば、特許文献１参照)。
【０００３】
前記特許文献１に開示される開放阻止装置は、外枠に回転可能に配設されて一体的に回転する爪車を備えたリールと、該リールに巻付けたワイヤと、リールをワイヤの巻取方向に付勢するゼンマイと、爪車と係合してリールの繰出し方向への回転を規制する規制位置、および係合解除されてリールの繰出し方向への回転を許容する許容位置に変位可能なピンと、該ピンを変位させるソレノイドとから構成されている。そして、前記リールから繰出したワイヤの端部を前記中枠に固定して、該中枠を閉成した状態では前記ゼンマイの付勢力によりワイヤをリールに巻取ると共に、前記ソレノイドの駆動により前記ピンを規制位置に変位させ、当該リールの繰出し方向の回転を規制している。すなわち、前記リールの繰出し方向への回転を規制することで該中枠の開放が阻止され、不正手段により施錠装置が解錠された場合であっても、前述した不正行為を防止し得るようになっている。
【特許文献１】特開２００３−２９９８６１号公報
【発明の開示】
【発明が解決しようとする課題】
【０００４】
ところで、前記特許文献１に記載された開放阻止装置では、前記ピンを規制位置に変位させた場合であっても、爪車の歯幅だけ所謂「遊び」が生ずることもあり、この場合には、この「遊び」分だけ前記ワイヤが繰出されて中枠が開放される可能性がある。具体的には、前記ソレノイドの駆動により前記ピンを規制位置に変位させた際に、該ピンが爪車の山の位置にある場合には、当該ピンが正確に爪車と係合していない。このため、前記ピンが爪車の谷の位置に臨むまでの間は、該爪車(リール)の繰出し方向への回転が許容されて前記中枠が僅かに開放されることとなる。このように、前記中枠が僅かでも開放されると、該中枠と外枠との隙間からヤスリやナイフ等が挿入されて、前記ワイヤが切断される虞がある。前記ワイヤを切断されると前記中枠の開放を規制し得なくなるため、開放阻止装置としての機能が果たされない問題を内在している。
そこで、本発明では、開閉自在に設けた開閉枠を閉成状態で確実に保持し得る遊技機の開放阻止装置を提供することを目的とする。
【課題を解決するための手段】
【０００５】
前記課題を克服し、所期の目的を達成するため、本発明に係る遊技機の開放阻止装置は、
遊技機(11)の保持枠(12)または該保持枠(12)を保持する遊技設備(10)の何れかを固定部として、該固定部または前記保持枠(12)に開閉自在に設けた開閉枠(13)の何れか一方に配設される回転自在なリール(36)と、該リール(36)に繰出し供給自在に巻取られ、その端部を前記固定部または開閉枠(13)の他方に固定した長尺部材(21)と、前記リール(36)を長尺部材巻取方向に回転させる回転付勢手段(46)と、前記リール(36)に設けた第１係合手段(50)と、前記第１係合手段(50)に係脱自在に係合可能で、その係合により前記リール(36)の長尺部材繰出し方向への回転を規制する第２係合手段(55)と、前記第２係合手段(55)を前記第１係合手段(50)との係合位置および係合解除位置の間で変位させる駆動手段(48)とからなり、前記開閉枠(13)の閉成時には、前記駆動手段(48)により第２係合手段(55)を係合位置まで変位させて前記長尺部材(21)の繰出しを規制し、該開閉枠(13)の開放を阻止するようにした遊技機(11)の開放阻止装置において、
前記駆動手段(48)により駆動され、前記第２係合手段(55)を第１係合手段(50)との係合位置から前記リール(36)を長尺部材巻取方向へ所要量だけ回動させた増巻き位置へ変位させる回動付加手段(63)と、
前記開閉枠(13)の閉成時に、前記第２係合手段(55)を係合解除位置および増巻き位置の間を複数回変位させた後に、該第２係合手段(55)を増巻き位置で保持するよう前記回動付加手段(63)の動作制御を行なう制御手段(35)とから構成したことを特徴とする。
【発明の効果】
【０００６】
本発明の請求項１に係る遊技機の開放阻止装置によれば、第２係合手段を長尺部材巻取方向へ所要量だけ回動した増巻き位置に変位させる回動付加手段を設け、第１係合手段と第２係合手段とを係合させた際に、該回動付加手段が第２係合手段を増巻き位置に変位させる増巻き動作を行なうことで、該リールが長尺部材繰出し方向に回転する所謂「遊び」が生ずるのを防止し得る。これにより、遊技機に開閉自在に設けた開閉枠を閉成状態で確実に保持し得るから、不正行為が行なわれるのを防止し得る。また、前記長尺部材の増巻き動作を複数回行なうことで、前記リールに「遊び」が生ずるのをより確実に防止することが可能である。
【発明を実施するための最良の形態】
【０００７】
本発明に係る遊技機の開放阻止装置につき、好適な実施例を挙げて、添付図面を参照しながら以下詳細に説明する。なお、実施例において遊技機としては、一般的なパチンコ機を例にして説明する。なお、以下の説明において、前・後、左・右とは、特に断りのない限り、図２に示すようにパチンコ機１１を正面側から見た状態において指称するものとする。
【実施例】
【０００８】
(パチンコ機について)
先ず実施例に係るパチンコ機１１の概略構成について、図２または図３を参照して説明する。パチンコ機１１は、外郭をなし、遊技場に設けられた島設備とも呼ばれる遊技設備１０に開設した開口部１０ａ(図３参照)に固定される外枠(保持枠)１２と、該外枠１２に対して着脱および開閉自在に枢支される中枠(開閉枠)１３と、該中枠１３に着脱交換可能に取付けられて所要の遊技領域を構成した遊技盤(図示せず)と、中枠１３の前面側に着脱および開閉自在に枢支されて、遊技盤を透視保護するガラス枠１４と、パチンコ球を貯留する上球皿１５や下球皿１６等から構成されている。そして、発射装置(図示せず)を操作して前記上球皿１５に貯留したパチンコ球を前記遊技盤の遊技領域に打出すことで、遊技を行なうようになっている。また、前記中枠１３の裏側には、各種の球経路および球処理・払出部等を備えた機構セット盤(図示せず)を配設してある。なお、前記遊技設備１０は、木材を組付けた外表面に薄いアルミ板を取付けて装飾するよう構成されると共に、所定間隔毎に前記開口部１０ａが開設されて各開口部１０ａにパチンコ機１１が夫々配置される。そして、前記遊技設備１０の内部に設けたパチンコ球の供給設備や電源を供給する配線設備等(何れも図示せず)を介して、各パチンコ機１１にパチンコ球や電源を供給するようになっている。
【０００９】
また、前記パチンコ機１１における前記中枠１３の開閉枢支側と反対側の側部(パチンコ機１１の右側部)には施錠機構１８が配設されており(図３参照)、該施錠機構１８により前記外枠１２に対して中枠１３を閉成状態で保持し、鍵操作により解錠されて外枠１２に対して中枠１３を開放し得るよう構成される。そして、前記外枠１２における右側部の開口内側に開放阻止装置２０を配設して、該中枠１３の不正開放を防止するようになっている。すなわち、実施例では、前記外枠１２が前記開放阻止装置２０(後述するリール３６)を配設する固定部として機能している。また、パチンコ機１１毎に設けた各開放阻止装置２０は、前記外枠１２に配設した状態で図示しない第１のケーブルにより隣接する開放阻止装置２０と相互に電気的に接続されており、開放阻止装置２０の何れか一つに接続した電源ユニット(図示せず)から供給される電源を、該第１のケーブルを介して他の開放阻止装置２０に供給し得るよう構成されている。
【００１０】
(開放阻止装置について)
次に、前記外枠１２に配設した前記開放阻止装置２０について説明する。なお、開放阻止装置２０に関する説明において前・後および上・下とは、図１に示すように前記外枠１２の開口内側に取付けた状態で指称するものとする。すなわち、図１において前記開放阻止装置２０の右側に、前記中枠１３が位置している。
【００１１】
前記開放阻止装置２０は、図１または図４に示すように、回転自在なリール３６と、該リール３６に繰出し供給自在に巻取られ、その端部を前記中枠１３に固定したワイヤ(長尺部材)２１と、リール３６をワイヤ巻取方向に回転させるゼンマイバネ(回転付勢手段)４６と、リール３６に設けられた爪車(第１係合手段)５０と、該爪車５０に係脱自在に係合可能で、その係合によりリール３６のワイヤ繰出し方向への回転を規制する係合部材(第２係合手段)５５と、駆動源としてのモータ(駆動手段)４８と、該モータ４８に駆動されて、係合部材５５を係合解除位置および増巻き位置(何れも後述)の間で変位させる回動付加手段６３と、これら各構成部品２１,３６,４６,４８,５０,５５,６３を収容配置するケース体２３とから構成されて、パチンコ機１１毎に配設されている。
【００１２】
ここで、図３に示すように、前記ワイヤ２１は、前記外枠１２に対する中枠１３の開放を許容し得る長さ寸法に設定されて、その一方の端部に前記リール３６に固定する接続球２１ａが設けられると共に、他方の端部に形成したリング状の固定環２１ｂを前記中枠１３に固定するよう構成される(図５参照)。ここで、前記固定環２１ｂの内側に挿通させたネジを前記中枠１３のネジ孔(図示せず)に螺挿して、該固定環２１ｂ(ワイヤ２１)をネジと中枠１３との間に挟持させることで、該ワイヤ２１を中枠１３に固定するようになっている。すなわち、前記ワイヤ２１により、前記外枠１２と中枠１３とを連結するよう構成される。ここで、図３に示すように、前記ワイヤ２１(固定環２１ｂ)は、前記中枠１３における施錠機構１８の配設側(すなわちパチンコ機１１における中枠１３の開閉枢支側とは反対側)に固定してある。なお、実施例では、前記ワイヤ２１として鋼線をより合わせたものを使用しているが、柔軟性に富み、かつ伸縮性に乏しく、引っ張った際に容易に切断しないものが好ましい。
【００１３】
(ケース体について)
前記ケース体２３は、図４に示すように、前記開放阻止装置２０の各構成部品２１,３６,４６,４８,５０,５５,６３を収容配置するベース部２４と、該ベース部２４に配設した各駆構成部品２１,３６,４６,４８,５０,５５,６３を被覆するカバー部３３とから略矩形箱状に形成され、該ベース部２４に開設した固定孔２４ａ,２４ａ,２４ａ(図６参照)を介して前記外枠１２にネジ止めされている。また、前記ベース部２４の前方位置には、前記リール３６を配置する領域２９(以下、第１の領域という)が画成され、該ベース部２４の後方位置には、前記モータ４８および回動付加手段６３を配置する領域３０(以下、第２の領域という)が画成されている。そして、図４に示すように、前記ベース部２４における第１の領域２９に枢軸３１が立設されて、該枢軸３１に前記リール３６を回転自在に支持すると共に、該ベース部２４の前側面２５(中枠１３との対向面)に開設した第１孔部２５ａを介して、該リール３６に巻取った前記ワイヤ２１を、ケース体２３の外部に導出するよう構成される(図１参照)。なお、前記枢軸３１には、その軸方向に延在するスリット３１ａが形成されており、該スリット３１ａに前記ゼンマイバネ４６の一方の端部(固定端部４６ａ)を係止するようになっている。
【００１４】
なお、ベース部２４の後側面２６には、後方に開口する第２孔部２６ａ,２６ａが開設されて(図１参照)、該第２孔部２６ａ,２６ａを介して前記第１のケーブルや後述する受信装置９５に接続した第２のケーブル(図示せず)をケース体２３の内部に導入するようになっている。また、前記ベース部２４の上下の側面２７,２８には、前記第２の領域３０と対応する位置に、上下に貫通する第３孔部２７ａ,２８ａ(図１または図６参照)が開設されて、該第３孔部２７ａ,２８ａを介して前記回動付加手段６３のシャフト６４(後述)が出没するよう構成されている。
【００１５】
図４に示すように、前記カバー部３３には、前記ベース部２４における第２の領域３０と対応する位置に配線基板３４が配設されており、該配線基板３４に、前記回動付加手段６３の検出片５９(後述)を検出する２個の第１および第２検出センサ３４ａ,３４ｂや、受信装置９５が受信した信号に基づいて前記モータ４８を駆動させる制御部(制御手段)３５等が実装されている(図９参照)。ここで、前記第１検出センサ３４ａは、前記配線基板３４において前記係合部材５５が係合解除位置にある場合に前記検出片５９を検出する位置に取付けられると共に、第２検出センサ３４ｂは、該係合部材５５が増巻き位置にある場合に該検出片５９を検出する位置に取付けられる。そして、前記各検出センサ３４ａ,３４ｂが前記検出片５９を検出することで、前記モータ４８の駆動を停止させるよう設定される。
【００１６】
(リールについて)
前記リール３６は、図７(a),(b)に示すように、内側に前記ゼンマイバネ４６が配設される円筒壁部３７と、該円筒壁部３７のベース部２４側の端部に形成される筒底部４２とから円筒状に形成されて、その筒底部４２における中心位置に、前記ベース部２４の枢軸３１を挿通可能な軸孔４３を開設してある。そして、前記軸孔４３に枢軸３１を挿通することにより、前記リール３６をベース部２４(ケース体２３)に回転可能に支持するよう構成されている。また、前記円筒壁部３７におけるベース部２４から離間する側の端面には、前記ワイヤ２１に設けた前記接続球２１ａを嵌合固定する第１係合孔３８と、該第１係合孔３８から円筒壁部３７の外周面３７ａまで延在する案内溝３９とが形成されており、当該第１係合孔３８に接続球２１ａを嵌合させたワイヤ２１を、案内溝３９に沿って円筒壁部３７の外周面３７ａまで案内するようになっている。なお、前記ワイヤ２１は、前記円筒壁部３７(リール３６)の外周面３７ａに対して図７(a)における時計回りに巻付けられ、該ワイヤ２１を繰出した際に、該リール３６が時計回り(以下、ワイヤ繰出し方向という)に回転するようにしてある。
【００１７】
また、前記リール３６における円筒壁部３７の端面には、図７(a)に示すように、周方向に所定間隔離間するよう３箇所に第２係合孔４０,４０,４０を形成してある。更に、前記円筒壁部３７における筒底部４２の端縁には、周方向に延出するフランジ部４４が形成されており、円筒壁部３７に巻付けたワイヤ２１がベース部２４側に抜け落ちるのを防止している。
【００１８】
前記円筒壁部３７の内周面３７ｂ側には、該円筒壁部３７の軸方向に沿って延在する係止溝４１が形成されて、該係止溝４１に、前記枢軸３１のスリット３１ａに一方の端部(固定端部４６ａ)を係止した前記ゼンマイバネ４６の他方の端部(可動端部４６ｂ)を係止するよう構成される。すなわち、前記ゼンマイバネ４６の固定端部４６ａを前記枢軸３１のスリット３１ａに係止すると共に、可動端部４６ｂを前記円筒壁部３７の係止溝４１に係止した状態で、前記ワイヤ２１を繰出してリール３６をワイヤ繰出し方向に回転することで、該ゼンマイバネ４６が巻かれて、その弾性力によりリール３６を図６、図１０、図１３および図１４における反時計回り(以下、ワイヤ巻取方向という)に付勢するよう作用し、ワイヤ２１を繰出す力を解除したときには、該ワイヤ２１をリール３６に巻取り得るようになっている。ここで、前記ゼンマイバネ４６の弾性力により前記リール３６にワイヤ２１を巻取った際に、該ワイヤ２１は、その端部を固定した中枠１３を引っ張るよう作用する。このとき、前記ワイヤ２１における中枠１３との間は張った状態、すなわち弛みがない状態となる。なお、実施例では、前記ゼンマイバネ４６として、前記リール３６をワイヤ繰出し方向に回転させた際に、該リール３６に一定の力が作用する、所謂定荷重バネを採用している。なお、前記ゼンマイバネ４６が前記リール３６をワイヤ巻取方向に付勢することで、前記係合部材５５を増巻き位置から係合解除位置に変位させた際に、該リール３６がワイヤ繰出し方向に回転しないよう構成されている。
【００１９】
(爪車について)
図４または図８に示すように、前記爪車５０は、前記リール３６に形成した前記フランジ部４４に略整合する円板状に形成され、該リール３６との対向面５０ａの中心位置に、前記枢軸３１を挿入可能な凹部５１が形成されている。また、前記爪車５０における前記リール３６との対向面５０ａには、該リール３６に形成した前記第２係合孔４０,４０,４０と対応する位置に、係合片５２,５２,５２を夫々形成してある。すなわち、前記凹部５１に枢軸３１の端部を挿入すると共に、前記各係合片５２を対応する第２係合孔４０に挿入することで、前記リール３６のワイヤ繰出し方向およびワイヤ巻取方向への回転に合わせて、前記爪車５０もワイヤ繰出し方向およびワイヤ巻取方向に回転するようになっている。
【００２０】
前記爪車５０における外面５０ｂ(リール３６との対向面５０ａと反対側の面)には、図６、図１０、図１３および図１４に示すように、その外周縁近傍に、円をなすよう複数の第１係合爪(歯)５３が形成されている。ここで、前記複数の第１係合爪５３の夫々は、前記係合部材５５と係合した際に、前記爪車５０(リール３６)のワイヤ繰出し方向への回転を規制する一方、該爪車５０(リール３６)のワイヤ巻取方向への回転を許容するよう所定角度で傾斜した、所謂ラチェット形状に形成される。
【００２１】
(係合部材について)
前記係合部材５５は、図６、図１０、図１３および図１４に示すように、前記リール３６に倣う円弧状に湾曲形成された本体をなすアーム部５６の一方の端部に、該アーム部５６の湾曲内側(リール３６側)に突出する第２係合爪５７が３箇所(なお、１箇所以上であればよい)に形成されると共に、当該アーム部５６の他方の端部に、ベース部２４から離間する方向に突出する突起部５８および検出片５９が夫々形成されている。また、前記アーム部５６における各第２係合爪５７と突起部５８との間には軸孔５５ａ(図１１参照)が形成されて、該軸孔５５ａに挿入したガイドピン６１を中心に揺動し得るよう構成される。なお、前記係合部材５５は、前記第２係合爪５７の夫々が前記爪車５０における第１係合爪５３の外周側に離間して位置するよう配置されて、該係合部材５５を揺動させることで、各第２係合爪５７が第１係合爪５３と係合するようになっている。
【００２２】
ここで、前記第２係合爪５７の夫々は、図１０に示すように、前記第１係合爪５３と係合(当接)する第１面５７ａは、前記爪車５０の径方向に延在するよう形成され、第２係合爪５７における第１係合爪５３に係合(当接)しない第２面５７ｂは、前記アーム部５６側に向かうにつれてリール３６のワイヤ繰出し方向に傾斜している。すなわち、前記爪車５０の径方向に延在するよう形成した前記第１係合爪５３の第１面５３ａと、前記第２係合爪５７の第１面５７ａとが夫々当接することで、該爪車５０のワイヤ繰出し方向への回転が規制されて、これにより前記リール３６のワイヤ繰出し方向への回転が規制されるようになっている(図１３または図１４参照)。なお、アーム部５６は、弾性変形可能な長さ寸法に形成され、第１係合爪５３に第２係合爪５７を係合した状態で、該アーム部５６の弾性により両係合爪５３,５７が強固に係合するようにしてある。
【００２３】
(回動付加手段について)
前記回動付加手段６３は、図６、図１０、図１３および図１４に示すように、上下方向に延在すると共に、前記係合部材５５を揺動自在に組付けるシャフト６４と、前記モータ４８に接続して、該モータ４８の駆動に伴いシャフト６４を上下方向に移動させる連繋手段８０と、該シャフト６４および連繋手段８０を配置する取付ベース６８とから基本的に構成され、前記ケース体２３におけるベース部２４の第２の領域３０に、該取付ベース６８を配設するようになっている。ここで、前記シャフト６４は、図１１に示すように、前記取付ベース６８の上下方向の長さ寸法より長尺な丸棒部材であって、該取付ベース６８の第１〜第３支持面７１,７２,７３(後述)の夫々に形成した貫通孔７１ａ,７２ａ,７３ａに摺動自在に挿通される。
【００２４】
また、前記シャフト６４には、その上端部から下方側に所要範囲に亘って、外周面に雄ネジを形成したネジ部６５が設けられている。更に、前記シャフト６４における前記ネジ部６５の形成位置の下方には、その径方向に貫通する通孔(図示せず)が開設されており、該通孔に前記ガイドピン６１を挿通するようになっている。そして、前記シャフト６４の通孔に挿通したガイドピン６１を、前記係合部材５５の軸孔５５ａに挿通して、該シャフト６４の上下移動に伴って係合部材５５が上下移動するよう構成されている。
【００２５】
図１１に示すように、前記取付ベース６８は、前記ベース部２４に固定する第１固定面６９と、該第１固定面６９の上縁から前記カバー部３３側に延在する第１支持面７１と、該第１固定面６９の下縁からカバー部３３側に延在する第２支持面７２と、該第２支持面７２におけるカバー部３３側の端縁からベース部２４と略平行に延在するガイド面７５と、該ガイド面７５の下縁からベース部２４側に延在する第３支持面７３と、該第３支持面７３の端縁から第１固定面６９側に延在する第２固定面７０とからなり、ベース部２４の図示しない各通孔に挿通したネジを、第１および第２固定面６９,７０に形成したネジ孔６９ａ,７０ａに螺挿することで該取付ベース６８がベース部２４に固定される。なお、図６に示すように、前記取付ベース６８における前記ガイド面７５の後方位置に、前記モータ４８を取付けるよう構成されており、該モータ４８と回動付加手段６３とを一体で取扱い得るよう構成してある。
【００２６】
図１１に示すように、前記第１〜第３支持面７１,７２,７３の夫々には、上下方向に貫通する貫通孔７１ａ,７２ａ,７３ａが同一軸線上に形成されており、各貫通孔７１ａ,７２ａ,７３ａに前記シャフト６４を挿通させている。なお、前記各貫通孔７１ａ,７２ａ,７３ａに挿通させたシャフト６４は、前記ベース部２４に形成した前記第３孔部２７ａ,２８ａに臨むよう構成されており、該シャフト６４を上下移動させた際に、当該シャフト６４が該第３孔部２７ａ,２８ａからケース体２３の外側に突出し得るよう構成されている。また、前記第２支持面７２における前記貫通孔７２ａの開設位置より後方側に、第１支持面７１側(上側)に延在する複数の支軸７２ｂが形成されて、各支軸７２ｂに後述する連繋歯車８５が枢支されると共に、該支軸７２ｂの更に後方位置に形成した通孔(図示せず)を介して前記モータ４８の回転軸を第１支持面７１側に臨ませている。
【００２７】
そして、図１、図６、図１０、図１３および図１４に示すように、前記ガイド面７５には、前記シャフト６４と対応する位置に、上下方向に直線的に延在する第１ガイド溝７６が形成されて、該第１ガイド溝７６に、前記係合部材５５の軸孔５５ａに挿通した前記ガイドピン６１を挿入するようになっている。すなわち、前記係合部材５５は、前記第１ガイド溝７６の延在範囲だけ上下方向に移動し得るようになっている。なお、第１ガイド溝７６にガイドピン６１を挿入することで、前記シャフト６４の回転を規制している。また、前記ガイド面７５における前記第１ガイド溝７６の後方位置には、前記係合部材５５の突起部５８を挿入可能な第２ガイド溝７７が形成される。ここで、前記第２ガイド溝７７は、上端部側の前記第１ガイド溝７６に略平行な鉛直領域７７ａと、下方に向かうにつれて前側(リール３６側)に向けて傾斜する傾斜領域７７ｂとを有している(図１０、図１３または図１４参照)。
【００２８】
すなわち、前記第１ガイド溝７６に前記ガイドピン６１を挿入すると共に、前記第２ガイド溝７７に前記突起部５８を挿入した状態で、該ガイドピン６１を第１ガイド溝７６の上端から下端に向けて移動させると、該突起部５８が第２ガイド溝７７の鉛直領域７７ａを移動する間は、前記係合部材５５はそのままの姿勢で下方移動する(図示せず)。そして、前記突起部５８が第２ガイド溝７７の傾斜領域７７ｂを移動して突起部５８がリール３６側に変位するにつれて、前記係合部材５５がガイドピン６１を中心として図１３における反時計回りに回動しながら下方移動する(図１３参照)。なお、前記ガイド面７５における前記第２ガイド溝７７の後方位置には、前記係合部材５５の検出片５９を挿通させる第３ガイド溝７８が形成されており、前記係合部材５５の移動に伴う検出片５９の移動を許容するよう構成してある。
【００２９】
前記連繋手段８０は、前記モータ４８の回転軸に取付けられる駆動歯車８１と、前記第１および第２支持面７１,７２の間に配置される可動用歯車８２と、前記各支軸７２ｂに回転可能に枢支されて駆動歯車８１および可動用歯車８２を連繋する複数の連繋歯車８５,８５,８５,８５とから構成される。ここで、前記可動用歯車８２は、前記連繋歯車８５に連繋接続する歯車部８３と、該歯車部８３の中心に設けられる筒状部８４とから構成されて、該筒状部８４の軸方向に貫通するよう形成した挿通孔８４ａに前記シャフト６４が挿通されている(図１０参照)。すなわち、前記モータ４８を駆動した際に、前記駆動歯車８１および連繋歯車８５,８５,８５,８５の夫々を介して前記可動用歯車８２が前記シャフト６４を中心に回転するようになっている。
【００３０】
また、図１２に示すように、前記可動用歯車８２(筒状部８４)の挿通孔８４ａの内側には、前記シャフト６４に形成したネジ部６５に螺合するナット８６が取付けられており、該挿通孔８４ａに挿通したシャフト６４のネジ部６５をナット８６に螺挿するよう構成される。すなわち、前記可動用歯車８２の回転に合わせて前記ナット８６が回転することで、該ナット８６とネジ部６５との螺合作用下に、前記第１ガイド溝７６とガイドピンとにより回転が規制されたもとで前記シャフト６４が上下方向に移動するようになっている。なお、前記可動用歯車８２の上下方向の長さ寸法は、前記第１支持面７１と第２支持面７２との離間寸法に略合致するよう設定されて、該可動用歯車８２が上下方向に移動しないよう形成されている。
【００３１】
ここで、前記可動用歯車８２の回転により前記シャフト６４を移動させて前記ガイドピン６１が前記第１ガイド溝７６の上端部に位置する状態(図１０参照)では、前記係合部材５５における前記第２係合爪５７の夫々が前記爪車５０の第１係合爪５３に係合しない位置(すなわち、係合解除位置)に保持されるよう構成してある。前記可動用歯車８２の回転により前記シャフト６４を移動させて、前記ガイドピン６１を第１ガイド溝７６の途中位置まで移動させると(図１３参照)、該第２係合爪５７の夫々が第１係合爪５３に係合する位置(すなわち、係合位置)に変位される。これにより、前記係合部材５５(第２係合爪５７)が前記係合解除位置にある場合には、前記リール３６のワイヤ繰出し方向への回転が許容されて、ワイヤ２１を繰出すことができるようになるので、前記中枠１３を外枠１２に対して開放させ得る。一方、前記係合部材５５(第２係合爪５７)が前記係合位置にある場合には、前記リール３６のワイヤ繰出し方向への回転が規制されて、ワイヤ２１を繰出すことができなくなるので、前記中枠１３の開放を阻止し得る。
【００３２】
そして、前記第２係合爪５７が係合位置に変位している状態で、シャフト６４を更に移動させて該ガイドピン６１を第１ガイド溝７６の下端部まで移動させると(図１４参照)、該第２係合爪５７の夫々が前記リール３６をワイヤ巻取方向へ所要量だけ回転する増巻き位置に変位されるようになっている。すなわち、前記係合部材５５の第２係合爪５７を前記第１係合爪５３に係合させた状態で、該第２係合爪５７を係合位置から増巻き位置に変位させる増巻き動作を行なった際には、図１４に示すように、前記リール３６がワイヤ巻取方向に所要の角度θだけ回動されて、ワイヤ２１を増巻きするよう構成される。
【００３３】
(開放阻止装置の作動制御システムについて)
また、図２に示すように、前記開放阻止装置２０は、所定の信号を発信して前記モータ４８を駆動させる第１の発信装置９１および第２の発信装置９２と、該第１および第２の発信装置９１,９２からの信号を受信可能な受信装置９５とを備えている。そして、前記受信装置９５の受信部９６が第１および第２の発信装置９１,９２からの信号を検出した際に、前記配線基板３４に設けた制御部３５が受信した信号に基づいて前記モータ４８を駆動するようになっている。なお、前記第１の発信装置９１および第２の発信装置９２は別部材として構成されている。また、前記受信装置９５は、前記遊技設備１０におけるパチンコ機１１の上方位置に開設した貫通孔(図示せず)を介して前記受信部９６が遊技設備１０の前側に露出した状態で遊技設備１０に固定され、前記開放阻止装置２０の配線基板３４に対して図示しない第２のケーブルを介して電気的に接続するようになっている。なお、前記遊技設備１０は、前述の如く木材および薄いアルミ板から構成されているので、既設の遊技設備１０にも容易に前記貫通孔を開設することができる。
【００３４】
また、実施例では、前記第１の発信装置９１および第２の発信装置９２から赤外線や電波等を発信して、この信号を受信装置９５(受信部９６)で受信する一般的な無線式の発信装置を採用するが、発信装置と受信装置９５とをケーブル等で接続した有線式のものも採用可能である。ここで、前記各受信装置９５(受信部９６)における前記第１および第２の発信装置９１,９２から送信された信号を受信し得る範囲(受信範囲)は、他のパチンコ機１１の受信装置９５に向けて送信された信号を受信しない範囲に設定される。
【００３５】
前記第１の発信装置９１は、図２に示すように、各パチンコ機１１に配設した前記開放阻止装置２０のモータ４８を個々に駆動させて前記係合部材５５を増巻き位置に変位させる個別開放規制信号を発信する第１ボタン９３と、各開放阻止装置２０のモータ４８を個々に駆動させて係合部材５５を係合解除位置に変位させる個別解除信号を発信する第２ボタン９４とを備えている。従って、前記個別開放規制信号を前記受信部９６が受信した場合には、該受信部９６が接続された開放阻止装置２０のモータ４８のみが駆動して前記係合部材５５が係合解除位置から増巻き位置に変位され、該開放阻止装置２０のリール３６が繰出し方向へ回転するのを規制する。一方、前記個別解除信号を受信部９６が受信した場合には、該受信部９６が接続されたモータ４８のみが駆動して前記係合部材５５を増巻き位置から係合解錠位置に向けて変位させ、該開放阻止装置２０のリール３６が繰出し方向へ回転するのを許容するよう構成される。このように、前記第１の発信装置９１のボタン操作に応じて、任意のパチンコ機１１について中枠１３の開放の規制および中枠１３の開放を許容し得るようになっている。
【００３６】
また、前記第２の発信装置９２は、前記第１の発信装置９１と同様に、第１および第２ボタン９３,９４を備えている。そして、前記第２の発信装置９２の第１ボタン９３を押圧操作した際には、全ての開放阻止装置２０におけるモータ４８を一斉に駆動させて係合部材５５を増巻き位置に変位させる一斉開放規制信号を発信するよう設定される。一方、前記第２の発信装置９２の第２ボタン９４を押圧操作した際には、全ての開放阻止装置２０におけるモータ４８を一斉に駆動させて係合部材５５を増巻き位置から係合解除位置に変位させる一斉解除信号を発信するよう設定されている。
【００３７】
すなわち、前記第１のケーブルを介して接続された複数の開放阻止装置２０が備える前記受信部９６の何れか１つが、前記一斉開放規制信号を受信した場合には、この一斉開放規制信号を受信した前記開放阻止装置２０(配線基板３４)の制御部３５が、第１のケーブルを介して隣接する開放阻止装置２０(配線基板３４)の制御部３５に開放規制信号を送信する。そして、開放規制信号を受信した制御部３５も隣接する開放阻止装置２０(配線基板３４)の制御部３５に開放規制信号を順次送信するよう構成されて、全ての開放阻止装置２０における前記モータ４８が駆動して前記係合部材５５を係合解除位置から増巻き位置に変位させるようになっている。このため、前記第２の発信装置９２のボタン操作に応じて、全てのパチンコ機１１の中枠１３の開放規制がなされる。
【００３８】
また同様に、前記第１のケーブルを介して接続された複数の開放阻止装置２０が備える前記受信部９６の何れか１つが、前記一斉解除信号を受信した場合には、この一斉解除信号を受信した前記開放阻止装置２０(配線基板３４)の制御部３５が、第１のケーブルを介して隣接する開放阻止装置２０(配線基板３４)の制御部３５に解除信号を送信する。そして、解除信号を受信した制御部３５も隣接する開放阻止装置２０(配線基板３４)の制御部３５に解除信号を順次送信するよう構成され、全ての開放阻止装置２０における前記モータ４８が駆動して前記係合部材５５を増巻き位置から係合解除位置に変位させるようになっている。このように、前記第２の発信装置９２の操作に応じて、全てのパチンコ機１１の中枠１３の開放が許容される。
【００３９】
ここで、前記第１または第２の発信装置９１,９２の第１ボタン９３が押圧操作されて、前記個別開放規制信号または一斉開放規制信号の何れかを前記制御部３５が受信すると、該制御部３５は、前記係合部材５５を係合解除位置から増巻き位置まで一旦変位させた後に、該係合部材５５を増巻き位置から係合解除位置に変位させ、更にその後に当該係合部材５５を係合解除位置から増巻き位置に変位させるよう前記回動付加手段６３の動作制御を行なうよう設定されている(図１０、図１３〜１６参照)。すなわち、実施例の開放阻止装置２０を作動して前記中枠１３の開放を阻止するに際しては、前記係合部材５５がワイヤの増巻き動作を２回行なうよう前記回動付加手段６３を動作させるようになっている。
【００４０】
〔実施例の作用〕
次に、実施例に係る遊技機の開放阻止装置の作用につき説明する。前記遊技設備１０に設置された各パチンコ機１１は、常には前記外枠１２に対して中枠１３が閉鎖状態で保持され、前記施錠機構１８を介して該外枠１２と中枠１３とが施錠されている。ここで、前記リール３６は、前記ゼンマイバネ４６によりワイヤ巻取方向に回転するよう付勢されるから、該リール３６にワイヤ２１が巻き取られてワイヤ２１に弛みが生ずることはない。なお、以下説明において、開放阻止装置２０を作動する前のリール３６の位置を初期位置(図１０参照)という。この状態で、前記第１または第２の発信装置９１,９２の第１ボタン９３を押圧操作することで、前記制御部３５の制御下で前記開放阻止装置２０のモータ４８を駆動させて前記係合部材５５を係合解除位置(図１０参照)から増巻き位置(図１４参照)に変位させる。
【００４１】
ここで、前記開放阻止装置２０の回動付加手段６３の作動態様について説明する。前記モータ４８が駆動すると、該モータの回転軸は正回転するので、該モータ４８の回転軸に設けた駆動歯車８１および該駆動歯車８１に連繋した連繋歯車８５,８５,８５,８５を介して、前記可動用歯車８２が正回転する。このとき、前記可動用歯車８２に取付けた前記ナット８６も正回転することから、該ナット８６に螺挿した前記シャフト６４が回転を規制された状態で下方に移動して、該シャフト６４に固定した前記ガイドピン６１が前記取付ベース６８(ガイド面７５)の第１ガイド溝７６に沿って直線的に下方移動する。これにより、前記係合解除位置の前記係合部材５５が前記爪車５０に向けて移動する。そして、前記ガイドピン６１が前記第１ガイド溝７６の途中位置まで移動すると、係合部材５５の各第２係合爪５７が爪車５０の第１係合爪５３に係合する係合位置まで変位する(図１３参照)。
【００４２】
更に、前記モータ４８を駆動させて前記シャフト６４およびガイドピン６１の夫々を下方移動させると、前記係合部材５５に形成した前記突起部５８が、前記取付ベース６８(ガイド面７５)の第２ガイド溝７７の傾斜領域７７ｂに沿って移動する。すなわち、前記突起部５８は、前記リール３６側に変位することから、前記係合部材５５はガイドピン６１を中心として爪車５０から離間する方向に回動される。このとき、前記係合部材５５は、前記ガイドピン６１の下方移動に伴って下方にも変位するから、前記第２係合爪５７は爪車５０(リール３６)の外周形状に略沿う円弧を描くように変位すると共に、前記アーム部５６の弾性変形により前記第２係合爪５７が爪車５０(第１係合爪５３)に圧接し、これにより該爪車５０(リール３６)が初期位置からワイヤ巻取方向に角度θだけ回動されて、最終的に係合部材５５(第２係合爪５７)が増巻き位置まで変位する(図１４参照)。すなわち、前記係合部材５５は合成樹脂からなることに加え、アーム部５６は弾性変形し得る長さ寸法に形成してあるから、該係合部材５５を増巻き位置まで変位させた際には、該アーム部５６が弾性変形して第２係合爪５７が爪車５０(第１係合爪５３)に圧接する。このとき、前記配線基板３４に設けた第２検出センサ３４ｂが、前記係合部材５５の検出片５９を検出してモータ４８が駆動停止されるから、前記回動付加手段６３が損傷することはない。
【００４３】
更に、前記制御部３５の制御に基づいて、前記開放阻止装置２０のモータ４８が駆動されて該係合部材５５を係合解除位置に向けて変位させる(図１５参照)。すなわち、前記モータ４８が駆動すると、該モータ４８の回転軸に設けた駆動歯車８１および該駆動歯車８１に連繋した連繋歯車８５,８５,８５,８５を介して、前記可動用歯車８２が逆回転する。このとき、前述と同様に、前記可動用歯車８２に取付けた前記ナット８６も逆回転することから、該ナット８６に螺挿した前記シャフト６４が上方移動して、該シャフト６４に固定した前記ガイドピン６１が前記取付ベース６８(ガイド面７５)の第２ガイド溝７７の傾斜領域７７ｂに沿って移動する。すなわち、前述したとは反対に、前記係合部材５５は、前記第２係合爪５７が爪車５０(リール３６)の外周形状に略沿う円弧を描くように変位しながら爪車５０(第１係合爪５３)との係合解除位置まで変位される(図１５参照)。
【００４４】
ここで、前記増巻き位置では前記係合部材５５のアーム部５６が弾性変形して前記第２係合爪５７が爪車５０(第１係合爪５３)に圧接しているから、該係合部材５５を増巻き位置から係合位置に変位させた際に、該係合部材５５が外周形状に略沿う円弧を描くよう変位すると、該爪車５０(リール３６)に対してワイヤ繰出し方向に回転させる力が作用する。そこで、実施例では、前記ゼンマイバネ４６の付勢力により、前記係合部材５５を増巻き位置から係合解除位置に変位させた場合であっても、前記リール３６(爪車５０)がワイヤ繰出し方向に回転しないよう構成したことで、該リール３６(爪車５０)が初期位置からワイヤ巻取方向に角度θだけ回動した位置で保持される。この状態で、前記モータ４８が更に駆動して前記シャフト６４およびガイドピン６１の夫々を上方移動させると、前記係合部材５５に形成した前記突起部５８が、前記取付ベース６８(ガイド面７５)の第２ガイド溝７７の鉛直領域７７ａに沿って移動する。従って、前記係合部材５５は前記爪車５０から離間して、最終的に前記係合解除位置まで変位する。このとき、前記配線基板３４に設けた第１検出センサ３４ａが、前記係合部材５５の検出片５９を検出してモータ４８が駆動停止するから、前記回動付加手段６３が損傷することはない。
【００４５】
前記係合部材５５が係合解除位置に一旦戻った後に、前記モータ４８が再度正回転されて、前述と同様に、前記シャフト６４およびガイドピン６１の夫々が下方移動されて前記係合部材５５の各第２係合爪５７が爪車５０の第１係合爪５３に係合する係合位置に変位し、更にモータ４８が正回転することで前記突起部５８が第２ガイド溝７７の傾斜領域７７ｂに沿って移動して該係合部材５５がガイドピン６１を中心として爪車５０から離間する方向に回動されると共に、ガイドピン６１の下方移動に伴って当該係合部材５５が下方に変位する。従って、前記第２係合爪５７は爪車５０(リール３６)の外周形状に略沿う円弧を描くように変位すると共に、前記アーム部５６の弾性変形により前記第２係合爪５７が爪車５０(第１係合爪５３)に圧接し、これにより該爪車５０(リール３６)をワイヤ巻取方向に更に角度θだけ回動して、最終的に係合部材５５(第２係合爪５７)が増巻き位置まで変位して停止保持される(図１６参照)。すなわち、実施例では、ワイヤ２１の増巻き動作が２回行なわれて、前記爪車５０(リール３６)が初期位置から角度２×θだけワイヤ巻取方向に回動される。
【００４６】
このように、前記係合部材５５(第２係合爪５７)で前記リール３６をワイヤ巻取方向へ所要量だけ回動させる回動付加手段６３を設け、爪車５０(第１係合爪５３)と係合部材５５(第２係合爪５７)とを係合させた際に、該回動付加手段６３により係合部材５５(第２係合爪５７)をワイヤ巻取方向へ回動させてワイヤ２１の増巻きを行なうようにしたことで、該爪車５０(リール３６)がワイヤ繰出し方向に回転する所謂「遊び」が生ずるのを防止し得る。更に、実施例では、前記ワイヤ２１の増巻き動作を２回行なうよう構成したから、前記爪車５０(リール３６)がワイヤ繰出し方向に回転する「遊び」が生ずるのはより確実に防止される。従って、前記施錠機構１８が不正に解錠された場合であっても、前記中枠１３が僅かに開放されるのは防止し得る。
【００４７】
すなわち、パチンコ機１１の外枠１２に開閉自在に設けた中枠１３を閉成状態で確実に保持することができるから、前記外枠１２と中枠１３との間の隙間を介してパチンコ機１１の内部へヤスリやナイフ等が挿入されることはなく、該ヤスリやナイフ等により前記ワイヤ２１が切断されて不正に中枠１３が開放されるのを阻止することができる。このように、前記施錠機構１８とは別に前記開放阻止装置２０を配設することで、パチンコ機１１にできた僅かな隙間から該パチンコ機１１の内部に挿入された針金や、不正に複製された鍵の使用により該施錠機構１８が不正に解錠された場合であっても、確実に中枠１３の開放を阻止して不正行為を防止し得る。
【００４８】
また、前記爪車５０を、前記係合部材５５が係合された際に、リール３６のワイヤ繰出し方向への回転を規制し得る、所謂ラチェット形状に形成したことで、爪車５０(第１係合爪５３)と係合部材５５(第２係合爪５７)とを確実に係合させることができる。すなわち、不正行為者が、前記施錠機構１８を不正に解錠して前記中枠１３を無理やりに開放させようとした場合であっても、前記第１係合爪５３と第２係合爪５７との係合が解除されるのを規制し得るから、確実に不正行為の防止を図り得る。また、前記係合部材５５を増巻き位置まで変位させた際に、前記アーム部５６の弾性変形により前記第２係合爪５７が爪車５０(第１係合爪５３)に圧接するよう構成したことで、該爪車５０(第１係合爪５３)と係合部材５５(第２係合爪５７)との係合をより強固にして爪車５０(リール３６)のワイヤ繰出し方向への回転をより確実に規制することができる。更に、前記爪車５０(第１係合爪５３)と係合部材５５(第２係合爪５７)とが確実に係合することで、該係合部材５５(第２係合爪５７)を増巻き位置まで回動させた際に、確実にリール３６をワイヤ巻取方向に回動させ得る。
【００４９】
また、前記係合部材５５が前記増巻き位置にある状態で、前記第１または第２の発信装置９１,９２の第２ボタン９４を押圧操作すると、前記開放阻止装置２０のモータ４８が駆動して該係合部材５５を係合解除位置に変位させる(図１０参照)。ここで、前記モータ４８が駆動すると、該モータ４８の回転軸は逆回転するので、該モータ４８の回転軸に設けた駆動歯車８１および該駆動歯車８１に連繋した連繋歯車８５,８５,８５,８５を介して、前記可動用歯車８２が逆回転する。このとき、前述と同様に、前記可動用歯車８２に取付けた前記ナット８６も逆回転することから、該ナット８６に螺挿した前記シャフト６４が上方移動して、該シャフト６４に固定した前記ガイドピン６１が前記取付ベース６８(ガイド面７５)の第２ガイド溝７７の傾斜領域７７ｂに沿って移動する。すなわち、前述したとは反対に、前記係合部材５５は、前記第２係合爪５７が爪車５０(リール３６)の外周形状に略沿う円弧を描くように変位しながら爪車５０(第１係合爪５３)との係合位置まで変位する(図１３参照)。
【００５０】
更に、前記モータ４８を駆動させて前記シャフト６４およびガイドピン６１の夫々を上方移動させると、前記係合部材５５に形成した前記突起部５８が、前記取付ベース６８(ガイド面７５)の第２ガイド溝７７の鉛直領域７７ａに沿って移動する。従って、前記係合部材５５は前記爪車５０から離間して、最終的に前記係合解除位置まで変位する(図１０参照)。このとき、前記配線基板３４に設けた第１検出センサ３４ａが、前記係合部材５５の検出片５９を検出してモータ４８が駆動停止するから、前記回動付加手段６３が損傷することはない。
【００５１】
このように、前記係合部材５５(第２係合爪５７)を前記爪車５０(第１係合爪５３)との係合を解除した係合解除位置に変位させることで、該爪車５０(リール３６)のワイヤ繰出し方向への回転が許容される。従って、前記施錠機構１８の施錠を解除することにより前記中枠１３を開放することができるから、作業者がパチンコ機１１のメンテナンス作業を行ない得る。また、前記中枠１３を開放して前記リール３６をワイヤ繰出し方向に回転させると、前記ゼンマイバネ４６により該リール３６がワイヤ巻取方向に付勢されるから、該中枠１３を閉成する方向に引っ張ることになる。ここで、実施例では、前記ゼンマイバネ４６として前記リール３６をワイヤ繰出し方向に回転させた際に、該リール３６に対してワイヤ巻取方向に一定の力を作用させる、所謂定荷重バネを採用したことにより、常に一定の力で前記中枠１３を開放することができ、作業性の向上に寄与し得る利点がある。また、前記外枠１２に対して中枠１３を閉成する際には、前記ゼンマイバネ４６の付勢力により前記リール３６がワイヤ巻取方向に回転されて、繰出したワイヤ２１を該リール３６に巻取り得るから、作業者の作業負担の軽減を図り得る。
【００５２】
なお、実施例に係る前記開放阻止装置２０では、前記ケース体２３を前記外枠１２の開口内側に配設すると共に、前記ワイヤ２１の端部に設けた固定環２１ｂを前記中枠１３の所要位置に固定するだけで、該開放阻止装置２０としての機能を発揮し得る。すなわち、前記ケース体２３やワイヤ２１の固定位置の自由度が高いから、既存のパチンコ機や仕様の異なるメーカーのパチンコ機であっても、前記開放阻止装置２０を容易に取付けることが可能である。
【００５３】
また、前述のように、前記開放阻止装置２０を作動させるに際しては、前記第１または第２の発信装置９１,９２の第１または第２ボタン９３,９４を操作して、前記受信装置９５の受信部９６に対して開放規制信号または解除信号を送信するだけでよいから、メンテナンス作業等が簡略化される。ここで、前記各受信装置９５(受信部９６)の受信範囲を狭く設定してあるから、作業者が第１の発信装置９１の第１または第２ボタン９３,９４を操作して１つの受信装置に向けて個別開放規制信号または個別解除信号を送信した際に、該信号を他の受信装置９５が受信して作業者が意図しないパチンコ機１１の開放阻止装置２０が作動することはない。一方、前記第２の発信装置９２の第１または第２ボタン９３,９４を操作して前記受信装置９５の受信部９６に対して一斉開放規制信号または一斉解除信号を送信した場合には、複数のパチンコ機１１に設けた開放阻止装置２０を一度に作動させ得るから、メンテナンス作業等をより簡略化して作業負担の軽減を図り得る。
【００５４】
なお、前記開放阻止装置２０を個別に作動させる第１の発信装置９１と、全ての開放阻止装置２０を作動させる第２の発信装置９２とを別にしたことで、該第１の発信装置９１と第２の発信装置９２とを管理する管理権限を分離することができる。すなわち、通常の作業時(例えば遊技場の営業時等)には、一般の作業者が第１の発信装置９１を操作するようにし、一斉解除信号が誤って発信されるのを防止すると共に、多数のパチンコ機１１について一度にメンテナンス作業等を行なう必要がある場合に、遊技場の管理者等が前記第２の発信装置９２を操作するようにして、当該作業を簡略化して作業時間の短縮を図るようにすることが可能となる。
【００５５】
〔変更例〕
なお、本発明に係る開放阻止装置としては、実施例のものに限られるものではなく種々の変更が可能である。例えば、実施例では、島とも称される遊技設備に固定する遊技機の保持枠(外枠)に開放阻止装置のケース体(リール)を配設すると共に、該保持枠に開閉自在に枢支した開閉枠(中枠)に長尺部材(ワイヤ)の端部を固定するよう構成したが、該ケース体(リール)を遊技設備に配設することも可能である。また、反対に、前記開放阻止装置のケース体(リール)を前記開閉枠に配設すると共に、前記長尺部材の端部を前記保持枠または遊技設備の何れかに固定するようにしても、実施例と同一の作用効果を得ることができる。言い換えると、遊技機の保持枠または該保持枠を保持する遊技設備の何れかを固定部とすると、該固定部または前記保持枠に開閉自在に設けた開閉枠の何れか一方に回転自在なリールを配設し、該リールに繰出し供給自在に巻取られた長尺部材の端部を、該固定部または開閉枠の他方に固定するよう構成すればよい。なお、前記長尺部材としては、実施例に示したワイヤに限らず、ピアノ線等の鋼線や樹脂製の紐状部材等の線状体、あるいは金属や樹脂材を帯状に形成した部材を好適に採用し得る。
【００５６】
また、実施例では、前記長尺部材をネジと保持枠とで挟んで固定するようにしたが、該長尺部材を固定する前記固定部または開閉枠にフックを形成し、該フックに長尺部材を係止するよう構成してもよい。この場合であっても、前記長尺部材は常には回転付加手段により引っ張られることから長尺部材の端部がフックから脱落することはない。また、前記開閉枠の閉成時において、前記固定部および開閉枠の何れか一方に配設したリールと、該固定部および開閉枠の何れか他方に固定した長尺部材の固定部位との間が離間する場合には、前記第２係合手段を増巻き位置まで変位させたとしても、遊技機内部で長尺部材が露出する。このような場合には、長尺部材の露出部位をチューブに挿通させるよう構成することで、該長尺部材が各種の遊技機構成部品に接触するのを防止し得る利点がある。なお、前記チューブの長さ寸法は、前記第２係合手段を増巻き位置まで変位させた際における前記リール(ケース体)と前記固定部または開閉枠の長尺部材の固定部位との間の離間寸法より短くする必要がある。
【００５７】
そして、前記リールを長尺部材巻取方向に付勢する回転付勢手段として、所謂定荷重バネを用いたが、一般的なゼンマイバネを使用することもでき、またリールを長尺部材巻取方向に回転させ得る手段であれば、その他の従来公知の各種手段を採用し得る。更に、前記リールに設ける第１係合手段としては実施例のような爪車に限定されるものではなく、鉤状等の任意の形状に形成してもよく、第２係合手段と係合した際に、前記長尺部材の繰出しを規制し得るよう構成すればよい。そして、前記第２係合手段に関しても、実施例のものに限られるものではなく、前記第１係合手段と係脱自在な形状に形成すればよく、任意に設定することができる。
【００５８】
また、前記第２係合手段を、前記第１係合手段との係合位置から更に前記長尺部材巻取方向へ所要量だけ回動させる回動付加手段の構成に関しては、第２係合手段を第１係合手段との係合位置から前記リールを長尺部材巻取方向へ所要量だけ回動させた増巻き位置へ変位させ得る構成であれば、任意の構成を採用し得る。例えば、実施例では、前記回動付加手段により第２係合手段を係合解除位置から増巻き位置に変位させるよう構成したが、係合解除位置から係合位置に変位させる移動手段を別に設け、該移動手段で係合位置に変位させた第２係合手段を回動付加手段により増巻き位置まで変位させるようにすることも可能である。更に、実施例では、前記開閉枠の閉成時に、前記第２係合手段を係合解除位置から増巻き位置に２回変位させた後、すなわち２回増巻き動作させた後に、該第２係合手段を増巻き位置で保持するよう制御手段が回動付加手段の動作制御を行なうよう構成したが、増巻き動作を３回以上の複数回行なうようにしてもよい。このように、増巻き動作を複数回行なうよう構成すれば、リールがワイヤ繰出し方向に回転する「遊び」が生ずるのをより確実に防止し得るようになる。
【００５９】
なお、開放阻止装置を設ける遊技機としては、パチンコ機に限られるものではなく、スロットマシン機等の回胴式遊技機であってもよく、遊技設備に保持される保持枠に開閉枠を開閉枢支した遊技機であれば何れのものであっても採用し得る。ここで、一般的な回胴式遊技機の構成につき簡単に説明すると、遊技設備に配置されて前方に開口する箱状の筐体(保持枠)と、該筐体に開閉可能に枢支される前扉(開閉枠)とから構成されている。この場合にも、前述したと同様に、前記遊技設備および筐体の何れかを固定部として、該固定部または前記前扉の何れか一方にリールを配設し、該固定部または前扉の他方に長尺部材の端部を固定するようにすればよい。なお、回胴式遊技機には、前記筐体に上前扉と下前扉を開閉可能に枢支したもの(所謂分離型スロットマシン機)も提案されており、この種の回胴式遊技機であれば、上前扉または下前扉を開閉枠とすることが可能である。
【図面の簡単な説明】
【００６０】
【図１】本発明の実施例に係る開放阻止装置を、カバー部を取外した状態で示す斜視図である。
【図２】実施例に係るパチンコ機を遊技場の遊技設備に配置して、正面側から見た状態で示す概略斜視図である。
【図３】実施例に係るパチンコ機を遊技場の遊技設備に配置し、外枠に対して中枠を開放した状態で示す概略斜視図である。
【図４】実施例に係る開放阻止装置の分解図である。
【図５】実施例に係る開放阻止装置のワイヤを示す平面図である。
【図６】実施例に係る開放阻止装置のカバー部を取外した状態で示す側面図である。
【図７】(a)は実施例に係る開放阻止装置のリールを示す側面図であって、(b)は該リールの断面図である。
【図８】(a)は実施例に係る開放阻止装置の爪車を示す側面図であって、(b)は該爪車の断面図である。
【図９】実施例に係る開放阻止装置の各検出センサ、制御部、モータおよび回動付加手段の関係を示すブロック図である。
【図１０】実施例に係る開放阻止装置の爪車と係合部材との関係を示す説明図であって、該係合部材が係合解除位置にある状態を示す。
【図１１】実施例に係る回動付加手段に係合部材を組付けた状態を示す正面図である。
【図１２】実施例に係る回動付加手段の可動用歯車を示す断面図である。
【図１３】実施例に係る開放阻止装置の爪車と係合部材との関係を示す説明図であって、該係合部材が係合位置にある状態を示す。
【図１４】実施例に係る開放阻止装置の爪車と係合部材との関係を示す説明図であって、該係合部材を増巻き位置に変位させて該爪車(リール)を初期位置から角度θだけ回転させた状態を示す。
【図１５】実施例に係る開放阻止装置の爪車と係合部材との関係を示す説明図であって、該爪車(リール)を初期位置から角度θだけ回転させた状態で係合部材を係合解除位置に変位させた状態を示す。
【図１６】実施例に係る開放阻止装置の爪車と係合部材との関係を示す説明図であって、該係合部材を増巻き位置に変位させて該爪車(リール)を初期位置から角度２×θだけ回転させた状態を示す。
【符号の説明】
【００６１】
１０  遊技設備
１１  パチンコ機(遊技機)
１２  外枠(保持枠)
１３  中枠(開閉枠)
２１  ワイヤ(長尺部材)
３５  制御部(制御手段)
３６  リール
４６  ゼンマイバネ(回転付勢手段)
４８  モータ(駆動手段)
５０  爪車(第１係合手段)
５５  係合部材(第２係合手段)
６３  回動付加手段
【図１】
2006006850.tif 000003
【図２】
2006006850.tif 000004
【図３】
2006006850.tif 000005
【図４】
2006006850.tif 000006
【図５】
2006006850.tif 000007
【図６】
2006006850.tif 000008
【図７】
2006006850.tif 000009
【図８】
2006006850.tif 000010
【図９】
2006006850.tif 000011
【図１０】
2006006850.tif 000012
【図１１】
2006006850.tif 000013
【図１２】
2006006850.tif 000014
【図１３】
2006006850.tif 000015
【図１４】
2006006850.tif 000016
【図１５】
2006006850.tif 000017
【図１６】
2006006850.tif 000018